(57)【特許請求の範囲】
【請求項１】
編み組織のテープ１９である経編テープ２０のウエール２１が現出している面の側縁に沿ってファスナーエレメント３を編み込み、ファスナーエレメント３と該ファスナーエレメント３に近接するウエール２１との間に、該ウエール２１よりも薄い薄手の編地２２を形成し、該編地２２にファスナーエレメント３の反転部２９をガイドするスライダー１の後口１１側におけるフランジ９の下端面１６を配したことを特徴とするスライドファスナー。
【請求項２】
フランジ９の外側面１５は、後口１１側における下端面１６を連続して切欠した切欠部１８を設け、フランジ９の下端面１６が基部１７よりも細幅に形成してなる請求項１記載のスライドファスナー。
【請求項３】
スライダー１の胴体５の左右に存在する平行状のフランジ９部分に切欠部１８を形成し、肩口１０側へ向けて屈曲したフランジ９部分の切欠量を増大させてなる請求項２記載のスライドファスナー。
【発明の詳細な説明】
【０００１】
【発明の属する技術分野】
この発明は、ファスナーテープに編み組織のテープを用い、編み組織のテープの側縁にファスナーエレメントを取り付けたファスナーチエンに適合したスライダーを装備させたスライドファスナーに関するものである。
【０００２】
【従来の技術】
従来、スライドファスナーはファスナーエレメントに沿って摺動可能なスライダーを有し、スライダーを摺動させることによってファスナーエレメントが噛合または分離され、スライドファスナーの閉鎖または開放を行うことができる。スライダーの摺動操作はスライダーに取り付けられた引手を指で摘んで引っ張ることにより行われるのが一般的である。
【０００３】
ところが、使用者によっては衣類や袋物等の生地に取り付けられたスライドファスナーの開放を、スライダーの引手を操作することなく、生地を無理に引っ張って行おうとすることがある。特にズボンの生地に取り付けられたスライドファスナーにおいてこの傾向が顕著である。このような行為をおこなうとファスナーエレメントがスライダーのフランジとこれに対向する翼板との間のテープガイド溝に嵌り込み、スライダーの摺動が不能になることがある。
【０００４】
上述の問題を解決するため、ファスナーテープにおけるテープの側縁にコイル状ファスナーエレメントを取り付けたファスナーチエンにスライダーを装備させ、このスライダーはフランジが後口側に位置する後端の横幅よりも肩口側に位置する前端の横幅が広く、後端から前端に向けて漸次拡大する形に形成し、フランジの頂面は翼板と平行状の平面部を形成し、翼板とフランジの頂面に形成した平面部との間隙をファスナーテープの厚さに比べて僅かに大きく形成したスライドファスナー、例えば図５に示すスライドファスナーが知られている。（特許文献１参照）
【０００５】
【特許文献１】
特開２０００−２６２３０９号公報（段落番号００２６、図１〜４）
【０００６】
【発明が解決しようとする課題】
前項で述べた特許文献１に開示されたスライドファスナーは、コイル状ファスナーエレメントがスライダーから抜脱するのを未然に防ぐため、フランジの前端にコイル状ファスナーエレメントの隣り合う反転部が当接する幅広い広幅端面部を設け、前端が反転部を乗り越えて、コイル状ファスナーエレメントがフランジの頂面と翼板との間から脱出し難いように形成したものである。
【０００７】
近年、衣服の生地に取り付けられるスライドファスナーにおいては柔軟性が要求されており、経編組織を有する編成のファスナーテープを用いることが行われている。この編成テープは柔軟であるがため変形し易く、生地を無理に引っ張ってスライドファスナーを開放しようとすると、フランジの後端からもファスナーエレメントがテープガイド溝に嵌り込むことが生じた。このことにより、ファスナーエレメントをテープガイド溝に嵌り込み難くするため、テープガイド溝をさらに狭く形成すると、テープガイド溝内に位置した編成テープのウエールとフランジとが過度に圧接し、スライダーの摺動抵抗が増大し、スライダーを操作し難くなる問題があった。
【０００８】
この発明は、上述の問題点を考慮して発明されたものであり、請求項１記載の発明は、スライドファスナーにおけるスライダーの後口側にファスナーエレメントをガイドするフランジを設け、編み組織のテープすなわち経編テープのウエールの表面を圧接することなく、いかなる使用態様に対しても、ファスナーエレメントを安定した状態で保持でき、かつフランジとこのフランジと対向する翼板との間のテープガイド溝にファスナーエレメントが食い込むこと、およびファスナーエレメントが脱出することを未然に防ぎ、スライダーのスムーズな摺動操作ができるスライドファスナーを提供することが主たる目的である。
【０００９】
請求項２記載の発明は、請求項１記載の発明の目的に加え、スライダーにおける後口側のフランジの下端面を簡単な形態によって、編み組織のテープのウエール間に確実に配置し、安定した状態でスライダーを操作できるスライドファスナーを提供することが目的である。
【００１０】
請求項３記載の発明は、請求項２記載の発明の目的に加え、スライダーのフランジの下端面に形成する切欠部の配置する個所を特定することによって、的確かつ有効的に機能が発揮できるスライダーを備えたスライドファスナーを提供することが目的である。
【００１１】
【課題を解決するための手段】
前記の目的を達成するため、この発明のうち請求項１記載の発明は、編み組織のテープ１９である経編テープ１９のウエール２１が現出している面の側縁に沿ってファスナーエレメント３を編み込み、ファスナーエレメント３と該ファスナーエレメント３に近接するウエール２１との間に、該ウエール２１よりも薄い薄手の編地２２を形成し、該編地２２にファスナーエレメント３の反転部２９をガイドするスライダー１の後口側１１におけるフランジ９の下端面１６を配した、スライダー１の摺動がファスナーエレメント３とウエール２１間を基準として摺動できるように形成したスライドファスナーを主な構成とするものである。
【００１２】
請求項２記載の発明は、請求項１記載の発明の構成に加え、スライダー１のフランジ９の外側面１５は、後口１１側におけるフランジ９の下端面１６に向けて連続して斜状または鍵形状に切欠して切欠部１８を設け、フランジ９の下端面１６が基部１７よりも細幅に形成したスライドファスナーである。
【００１３】
請求項３記載の発明は、請求項２記載の発明の構成に加え、スライダー１の胴体５における左右の両側に存在する平行状のフランジ９部分に切欠部１８を形成し、平行状のフランジ９部分から肩口１０側へ向けて屈曲したフランジ９部分の切欠量を増大させた形状に形成したスライドファスナーである。
【００１４】
【発明の実施の形態】
以下、この発明のスライドファスナーの実施の形態について、図面を参照しながら具体的に説明する。
【００１５】
この発明のスライドファスナーは、図１に示すように、スライドファスナー用に用いるファスナーテープ２は編み組織から編成され、特にファスナーテープ２として好適な編み組織のテープ１９は、緯編み組織よりも経編み組織から編成された経編テープ２０であり、この経編テープ２０はポリアミド繊維あるいはポリエステル繊維のマルチフィラメントから形成した鎖編み糸、トリコット編み糸、二目編み糸、緯挿入糸など複数の編み糸を用いて編み組織を編成し、表面にウエール２１が隆起して形成されるように編成する。
【００１６】
編成される経編テープ２０のウエール２１が現出している面の側縁に沿ってファスナーエレメント３としてポリアミドあるいはポリエステルのモノフィラメントをコイル状に形成した線条ファスナーエレメント４が載置され、図２に示すようにコイル状ファスナーエレメント２５が合成繊維糸の編糸２３によって編み込まれる。コイル状ファスナーエレメント２５は、経編テープ２０の側縁上に編糸２３によってコイル状ファスナーエレメント２５の脚部２８を編み込み、コイル状ファスナーエレメント２５の頭部２７が経編テープ２０の側縁から突出するように形成する。そしてコイル状ファスナーエレメント２５の反転部２９は、経編テープ２０の上に配され、コイル状ファスナーエレメント２５全体が経編テープ２０上に載置される形態で取り付けられる。編み込まれたコイル状ファスナーエレメント２５の反転部２９の外側にはウエール２１よりも厚みの薄い薄手の編地２２が存在する。すなわちコイル状ファスナーエレメント２５の反転部２９の外側には薄手の編地２２があり、そしてこの編地２２に隣接して厚手のウエール２１が存在する形に形成し、反転部２９とウエール２１との間に凹部を形成する。
【００１７】
また図３に示すように、線条ファスナーエレメント３としてジグザグ状ファスナーエレメント２６を用い、コイル状ファスナーエレメント２５と同様に経編テープ２０の側縁上に、ジグザグ状ファスナーエレメント２６の脚部２８を編糸２３によって編み込み、ジグザグ状ファスナーエレメント２６の頭部２７が経編テープ２０の側縁から突出するように形成する。
【００１８】
なお編成された経編テープの側縁表面に、コイル状ファスナーエレメントあるいはジグザグ状ファスナーエレメントの線条ファスナーエレメントを載置し、線条ファスナーエレメントの脚部を二重環縫などの縫糸によって縫着し、線条ファスナーエレメントの反転部の外側に、反転部とウエールとの間に薄手の編地が形成されるように形成しても、前記編み込みと同様の機能が果たせる。
【００１９】
スライダー１の胴体５は、アルミニウム合金、亜鉛合金などをダイカスト成形し、またはブラス、ステンレス鋼などをプレス加工によって形成する。またスライダー１の胴体５をポリアミド、ポリアセタール、ポリプロピレン、ポリブチレンテレフタレートなどの熱可塑性樹脂を用いて射出成形加工によって胴体５を成形してもよい。
【００２０】
スライダー１の胴体５は、上翼板６と下翼板７とを案内柱８で連結し、上翼板６の両側の外側縁に線条ファスナーエレメント４をガイドするフランジ９を屈設する。フランジ９の下翼板７に対面する下端面１６は平坦面であるが、肩口１０側の前端と後口１１側の後端とでは、フランジ９の下端面１６における横幅が異なる。すなわち図１に示すように後口１１側の後端から左右の平行するフランジ９の下端面１６を、ファスナーエレメント３とウエール２１間の薄手の編地２２に対面させ、かつ下端面１６の横幅を凹部に挿入できるように形成する。この下端面１６から肩口１０側の前端に向けて下端面１６の横幅が、図４に示すように多少拡大する形に形成する。したがって前端の幅広のフランジ９の一部がウエール２１上に掛かるが、経編テープ２０は柔軟性があるので、摺動抵抗にはさほど影響しないが、場合によっては前端における下端面１６の外側を斜面状に面取りすることもできる。
【００２１】
フランジ９の下端面１６を幅狭に形成する手段としては、図２，３に示すようにフランジ９の外側面１５を下端面１６に向けて斜状または鍵形状に切欠して切欠部１８を設け、下端面１６が基部１７よりも細幅になるように形成する。さらにフランジ９の下端面１６が後口１１側の後端から肩口１０側の前端にかけて、図４に示すように平行状のフランジ９部分の下端面１６が同一の横幅で形成し、平行状のフランジ９部分から肩口１０側へ向けて屈曲するフランジ９部分は多少        拡大し、左右の線条ファスナーエレメント４が横方向の引っ張り力を受けたとき、線条ファスナーエレメント４の反転部２９間にフランジ９の前端が食い込むのを防ぐように形成している。またフランジ９の下端面１６における肩口１０側の前端の一部のみを幅広に形成してもよい。フランジ９の外側面１５に形成する切欠部１８は、屈曲するフランジ９部分の切欠量を平行するフランジ９部分よりも増大させる形に形成して、フランジ９の大部分がファスナーエレメント３とウエール２１間の薄手の編地２２に対面し、スライダー１が摺動するときにフランジ９とウエール２１との接触を少なくする。
【００２２】
この発明のスライドファスナーは、以上の説明した構成から形成し、スライダー１のフランジ９は少なくとも後口１１側の後端から平行状に走るフランジ９部分を避けて、ファスナーエレメント３とウエール２１間の薄手の編地２２部分を摺動するように形成することにより、左右の線条ファスナーエレメント４の噛合動作を容易にし、かつファスナーチエンの開放操作時にフランジ９と対向する下翼板７との間のテープガイド溝１３に線条ファスナーエレメント４が食い込み、またテープガイド溝１３から脱出するのを防ぐものである。
【００２３】
【発明の効果】
この発明のスライドファスナーは、上記で説明したとおりの構成であり、この構成によって下記の効果を奏するものである。
【００２４】
この発明のうち請求項１記載の発明は、編み組織のテープである経編テープのウエールが現出している面の側縁に沿ってファスナーエレメントを編み込み、ファスナーエレメントと該ファスナーエレメントに近接するウエールとの間に、該ウエールよりも薄い薄手の編地を形成し、該編地にファスナーエレメントの反転部をガイドするスライダーの後口側におけるフランジの下端面を配した。
【００２５】
請求項２および３記載の発明は、請求項１記載の発明の効果に加え、フランジの外側面は、後口側における下端面を連続して切欠した切欠部を設け、フランジの下端面が基部よりも細幅に形成し、あるいは胴体の左右に存在する平行状のフランジ部分に切欠部を形成し、肩口側へ向けて屈曲するフランジ部分の切欠量を増大させたことによって、フランジの外側面を簡単な形態によって、フランジをファスナーエレメントとウエール間に確実に装備させ、かつ効率よく開閉操作ができるスライダーに仕上げることができる効果がある。
【図面の簡単な説明】
【図１】  経編テープにスライダーを装備し、スライダーの上半部を切欠したファスナーチエンの正面図である。
【図２】  経編テープにコイル状ファスナーエレメントを縫着し、スライダーの一部を示す部分図である。
【図３】  経編テープにジグザグ状ファスナーエレメントを縫着し、スライダーの一部を示す部分図である。
【図４】  スライダーの上半部を示す断面図である。
【図５】  公知のスライダーの上半部を示す断面図である。
【符号の説明】
１            スライダー
３            ファスナーエレメント
４            線条ファスナーエレメント
５            胴体
９            フランジ
１０            肩口
１１            後口
１５            外側面
１６            下端面
１７            基部
１８            切欠部
１９            編み組織のテープ
２０            経編テープ
２１            ウエール
２２            薄手の編地
２３            編糸
【図１】
0004072951.tif 000002
【図２】
0004072951.tif 000003
【図３】
0004072951.tif 000004
【図４】
0004072951.tif 000005
【図５】
0004072951.tif 000006